(57)【要約】【課題】タンク内の湯の熱が金属製の支持部へと熱伝導し外部へ放熱されてしまう。【解決手段】外装筐体１の内部に配置される湯水を貯湯するタンク２は、タンク頭部２−ａとタンク側面部２−ｂとタンク底部２−ｃから構成され、タンク底部２−ｃにはタンク２を支持する支持部３が設置されており、支持部３の材質はポリフェニレンサルファイド（ＰＰＳ）である。そのため、タンク２内の湯の熱の外装筐体１外への放熱を抑制し、保温性能を向上させることができる。【選択図】図１
2006250393.tif 000002
【特許請求の範囲】
【請求項１】
略円筒状の貯湯式給湯機のタンクの底部に設けて前記タンクを支持する支持部であって、前記支持部の材質が樹脂であることを特徴とする貯湯式給湯機のタンクの支持部。
【請求項２】
支持部は、タンク底部の外形形状と同一形状である半楕円体状の凹部を有し、台状に形成していることを特徴とする請求項１記載の貯湯式給湯機のタンクの支持部。
【請求項３】
支持部は、タンク底部を前後から挟み込むような２部品から構成されることを特徴とする請求項２記載の貯湯式給湯機のタンクの支持部。
【請求項４】
支持部は、半楕円体状のタンク底部と円筒状のタンク側面部との繋ぎ目部を覆っていることを特徴とする請求項３記載の貯湯式給湯機のタンクの支持部。
【請求項５】
支持部は、タンクを内包する外装筐体の内側周壁の下部および底部と密着していることを特徴とする請求項４記載の貯湯式給湯機のタンクの支持部。
【請求項６】
略円筒状の貯湯式給湯機のタンクの底部に前記タンクを支持する支持部を耐熱性の樹脂とし、前記支持部は前記タンクの側面周壁に巻きつける断熱材と異なる素材とする請求項５記載の貯湯式給湯機のタンクの支持部。
【発明の詳細な説明】
【技術分野】
【０００１】
本発明は、湯水を貯湯するタンクを支持する支持部に関するものである。
【背景技術】
【０００２】
従来、この種の支持部は、板金を加工したもので形成され、タンク側面部あるいは底部に直接溶接された構成になっている（例えば、特許文献１参照）。
【０００３】
図４は、特許文献１に記載された従来の支持部を示すものである。外装筐体１０８の内部に配置される湯水を貯湯するタンク２の底部に、タンク２を支持する支持部１０４が設置されており、支持部１０４は材質が金属である。
【特許文献１】特開２００４−２００２６号公報
【発明の開示】
【発明が解決しようとする課題】
【０００４】
しかしながら、前記従来の構成では、タンクに蓄えられた湯の熱が、タンクを介して支持部へと熱伝導し、支持部から外装筐体を介して外部へ放熱されてしまい、タンクの保温性能、ひいてはシステム全体としての保温性能の向上を妨げるという課題を有していた。
【０００５】
本発明は、前記従来の課題を解決するもので、支持部の材質が、金属に比べ熱伝導性の低い樹脂であることを特徴とする貯湯式給湯機のタンクの支持部を提供することを目的とする。
【課題を解決するための手段】
【０００６】
前記従来の課題を解決するために、本発明の支持部は、材質が樹脂であることを特徴としたものである。
【０００７】
これによって、タンクに蓄えられた湯の熱が、タンクを介して支持部へと伝わる量が低減され、システム全体としての保温性能を向上させることとなる。
【発明の効果】
【０００８】
本発明の支持部は、貯湯式給湯機の保温性能を向上させることができる。
【発明を実施するための最良の形態】
【０００９】
第１の発明は、支持部の材質を樹脂にすることにより、タンクの保温性能を向上させることができる。
【００１０】
第２の発明は、特に、第１の発明の支持部がタンク底部の外形形状と同一形状である半楕円体状の凹部を有し、台状に形成されていることにより、貯湯式給湯機の保温性能を向上させるとともに、タンクの転倒を防ぎ、満水時のタンクの自重に対する強度を向上させることができる。
【００１１】
第３の発明は、特に、第２の発明の支持部をタンク底部を前後から挟み込むような２部品から構成することにより、タンクに付随する各種配管・機能部品の配置に対応した支持部の形状の設計を容易にすることができる。
【００１２】
第４の発明は、特に、第３の発明の支持部を半楕円体状のタンク底部と円筒状のタンク側面部との繋ぎ目部を覆っている形状とすることにより、貯湯式給湯機の保温性能を向上させるとともに、支持部の凹部に沿ってのタンクのすべりを防ぐことができる。
【００１３】
第５の発明は、特に、第４の発明の支持部がタンクを内包する外装筐体の内側周壁の下部および底部と密着している形状とすることにより、外装筐体との結合を容易にするとともに、外装筐体およびタンクの安定性を向上させることができる。
【００１４】
第６の発明は、特に、第５の発明の支持部とタンクの側面周壁に巻きつける断熱材との素材を異なるものとすることにより、従来技術のようなタンクの側面周壁に巻きつけるのに用いられているグラスウールや発泡断熱材はそのまま利用することができ、現行品の設計変更等にも容易に対応することができる。
【００１５】
（実施の形態１）
図１は本発明の第１の実施の形態における支持部から構成される貯湯式給湯機の全体構成図、図２は支持部の外観図を示すものである。
【００１６】
図１において、外装筐体１の内部に配置される湯水を貯湯するタンク２は、タンク頭部２−ａとタンク側面部２−ｂとタンク底部２−ｃから構成される。タンク底部２−ｃにはタンク２を支持する支持部３が設置されており、外装筐体およびシステム全体を支持する脚７が外装筐体下部に設置されている。支持部３の材質はポリフェニレンサルファイド（ＰＰＳ）である。なお、樹脂の材質としては、耐熱性や難燃性・機械的強度・剛性が優れている樹脂素材であればポリフェニレンサルファイド（ＰＰＳ）以外であってもよい。
【００１７】
支持部３はタンク底部２−ｃの外形形状と同一形状である半楕円体状の凹部を有し、かつ外装筐体１の内側周壁の下部および底部と密着するような台状に形成されており、タンク側面部２−ｂとタンク底部２−ｃとの繋ぎ目部を覆っている。また、支持部３はタンク底部２−ｃに設置されている給水管４を通すことが可能な配管避け部５を有している。
【００１８】
以上のような構成において、支持部３の材質が樹脂であるためタンク２内に貯湯されている湯の熱がタンク２を介して支持部３に熱伝導する量が少なく、かつ支持部３がタンク側面部２−ｂおよびタンク底部２−ｃの一部を覆っているため支持部３が断熱材としての役割も担うことにもなるので、貯湯式給湯機の保温性能を向上させることができる。
【００１９】
また、支持部３がタンク底部２−ｃの外形形状と同一形状である半楕円体状の凹部を有し、かつ外装筐体１の周壁の下部および底部と密着するような台状に形成されているため、タンク２の転倒すなわち貯湯式給湯機システム全体の転倒を防ぐことができ、かつタンク２の自重を支持部３の凹部全面の広範囲で受けるため支持部３自身の破壊強度を向上させることができる。
【００２０】
さらに、支持部３がタンク側面部２−ｂとタンク底部２−ｃとの繋ぎ目部を覆っているため、タンク２と支持部３はビス等を用いて直接結合させなくとも分離不可能な一体物とすることができ、かつタンク２が支持部３の凹部に沿ってすべることも防ぐことができる。
【００２１】
なお、本発明においては、タンク頭部２−ａおよびタンク側面部２−ｂの上部の断熱方法については言及していないが、従来技術のようなグラスウールや発泡断熱材を巻き付けたり、あるいは本発明における支持部３によってタンク２全体を覆う構成としたりすることも考えられる。
【００２２】
図２において、支持部３は図１におけるタンク底部２−ｃを前後から挟み込むような２部品、支持部前３−ａと支持部後３−ｂから構成される。支持部前３−ａと支持部後３−ｂとは３箇所のビスフランジ部６において結合される。
【００２３】
以上のような構成において、支持部３が２部品から構成されるためタンク２に付随する各種配管・機能部品の配置に対応した支持部３の形状の設計を容易にすることができる。
【００２４】
（実施の形態２）
図３は本発明の第２の実施の形態における支持部から構成される貯湯式給湯機の全体構成図を示すものである。
【００２５】
図３において、外装筐体１の内部に配置される湯水を貯湯するタンク２の下部にはタンク２を支持する支持部３が設置されており、外装筐体およびシステム全体を支持する脚７が外装筐体下部に設置されている。
【００２６】
タンク２内の水を加熱する手段としては、タンク内に備えられるヒータあるいは室外機として別ユニットとなるヒートポンプユニット等が考えられる。また、図３の矢印部より、台所等における給湯口や風呂回路へと接続され、その他にも放熱手段に接続して床暖房や風呂乾燥等を行うことができる。
【産業上の利用可能性】
【００２７】
以上のように、本発明にかかる支持部は、材質が樹脂（ＰＰＳ）であるため支持部自身を介してのタンク内の湯の熱の外装筐体外への放熱を抑制することになり保温性能を向上させることができるので、支持部によって支持されるタンクから構成される貯湯式給湯機等に適用できる。
【図面の簡単な説明】
【００２８】
【図１】本発明の実施の形態１における支持部から構成される貯湯式給湯機の全体構成図
【図２】支持部の外観図
【図３】本発明の実施の形態２における支持部から構成される貯湯式給湯機の全体構成図
【図４】従来の貯湯式給湯機の全体構成図
【符号の説明】
【００２９】
１  外装筐体
２  タンク
２−ａ  タンク頭部
２−ｂ  タンク側面部
２−ｃ  タンク底部
３  支持部
３−ａ  支持部前
３−ｂ  支持部後
４  給水管
５  配管避け部
６  ビスフランジ部
７  脚
【図１】
2006250393.tif 000003
【図２】
2006250393.tif 000004
【図３】
2006250393.tif 000005
【図４】
2006250393.tif 000006